(57)【要約】本発明は、皮膚の治療に対するＵＶランプに係る。当該ランプは、ＵＶスペクトル及び赤色光スペクトルにおいて実質的に完全に放射線エネルギ容量を有する。６００ｎｍ乃至７００ｎｍの赤色光スペクトルにおける当該ＵＶランプの放射線エネルギ容量は、ＵＶスペクトルにおける放射線エネルギ容量の少なくとも３％である。第１の実施例では、当該ランプは、ＵＶ蛍光灯であり、第１のＵＶ放射蛍光体と、第２の赤色光放射蛍光体とを有する。該赤色光放射蛍光体は、ＣｅＧｄＭｇＢ５Ｏ１０：Ｔｂ，Ｍｎである。第２の実施例では、当該ランプは、ＵＶ  ＨＩＤランプであり、ランプのバルブは、赤色光放射線塩としてＬｉＩ及び／又はＣａＩ２を有する。
2009506856.tif 000002
【特許請求の範囲】
【請求項１】
皮膚の治療に対するＵＶランプであって、
当該ＵＶランプは、実質的に完全にＵＶスペクトル及び赤色光スペクトルにおいて放射線エネルギ容量を有し、
６００ｎｍ乃至７００ｎｍの前記赤色光スペクトルにおける当該ＵＶランプの前記放射線エネルギ容量は、前記ＵＶスペクトルにおける前記放射線エネルギ容量の少なくとも３％である、
ことを特徴とするＵＶランプ。
【請求項２】
６００ｎｍ乃至７００ｎｍの前記赤色光スペクトルにおける当該ＵＶランプの前記放射線エネルギ容量は、前記ＵＶスペクトルにおける前記放射線エネルギ容量の少なくとも６％である、
請求項１記載のＵＶランプ。
【請求項３】
６３０ｎｍ乃至７００ｎｍの前記赤色光スペクトルにおける当該ＵＶランプの前記放射線エネルギ容量は、前記ＵＶスペクトルにおける前記放射線エネルギ容量の少なくとも３％であり、望ましくは少なくとも６％である、
請求項１又は２記載のＵＶランプ。
【請求項４】
当該ＵＶランプは、ＵＶ蛍光灯であり、
当該ＵＶランプの透明なベッセルは、第１のＵＶ放射蛍光体と、第２の赤色光放射蛍光体とを有してコーティングされる、
請求項１乃至３記載のＵＶランプ。
【請求項５】
前記赤色光放射蛍光体は、ＣｅＧｄＭｇＢ５Ｏ１０：Ｔｂ，Ｍｎである、
請求項４記載のＵＶランプ。
【請求項６】
蛍光体混合物の６重量％乃至３０重量％、望ましくは１０重量％乃至２０重量％は、前記赤色光放射蛍光体を有する、
請求項４又は５記載のＵＶランプ。
【請求項７】
当該ＵＶランプは、ＵＶ  ＨＩＤランプであり、
当該ＵＶランプの前記ベッセルは、第１のＵＶ放射線塩と第２の赤色光放射線塩とを有し、
前記赤色光放射線塩は、ＬｉＩ及び／又はＣａＩ２である、
請求項１乃至３記載のＵＶランプ。
【発明の詳細な説明】
【技術分野】
【０００１】
本発明は、皮膚の治療に対するＵＶランプに係る。当該ＵＶランプは、ＵＶスペクトル及び赤色光スペクトルにおいて実質的に完全な（ｅｎｔｉｒｅｌｙ）放射線容量を有する。かかるランプは、ＵＳ４，６４５，９６９（特許文献１）において開示される。
【背景技術】
【０００２】
既知のランプにおける赤色光構成要素は、演色を向上させる実質的に６００ｎｍを下回る色波長を有する蛍光体によって作られ、ランプを使用する人の皮膚又は衣服の良くない外観（ｕｎｆｌａｔｔｅｒｉｎｇ  ａｐｐｅａｒａｎｃｅ）を避ける。
【０００３】
ＵＶ光を有する照射は、乾癬及びにきび治療等である医療的治療又は審美的治療、及び日焼けに対して広く使用される。具体的に乾癬の治療を目的とする蛍光灯は、Ｐｈｉｌｉｐｓ（登録商標）社から供給され、また、多種の蛍光灯及び高圧日焼けランプは、複数の製造者によって提供される。更には、ＵＶ放射線は、皮膚における代謝過程に影響を与え得る、皮膚におけるＮＯ分子の濃度に影響を与えるよう使用され得る、ことは既知である（Ｓｕｓｃｈｅｋ  Ｃ．Ｖ．外、ＦＡＳＥＢ  Ｊ  １７、２３４２−２３４４、２００３年（非特許文献１）参照）。
【０００４】
ＵＶ放射線に対する長期間の露出は皮膚の紫外線による老化に繋がり得る、ことは既知である。過度のＵＶ放射線に対して露出された皮膚は、がさがさした手触り、皺、皮膚のひだ、皮膚のたるみ、角質と称されるいぼ状増殖、そばかす、及び、異常弾性組織による黄変を引き起こす。紫外線によって老化した皮膚になる最大の危険性を有する人は、容易に日焼けする肌を有する人、及び皮膚におけるメラニンが少ないため日焼けしない人である。これは、ＵＶが誘発する皮膚におけるエラスチンの破壊によって引き起こされ、皮膚の弾性を低減させる、ことが既知である。紫外線によって損傷を受けた皮膚において、弾性繊維は、厚く、非常にカールされ、分岐される（ｈｉｇｈｌｙ  ｃｕｒｌｅｄ  ａｎｄ  ｂｒａｎｃｈｅｄ）。過剰な日光露出は、ＵＶ損傷後に放出される慢性炎症の産物によりコラーゲンが低下されるため、コラーゲン量を減少させる（Ｂｅｒａｒｄｅｓｃａ  Ｅ．、Ｆａｒｉｎｅｌｌｉ  Ｎ．、Ｒｅｂｂｉｏｓｉ  Ｇ．、Ｍａｉｂａｃｈ  Ｈ．Ｉ．、Ｄｅｒｍａｔｏｌｏｇｉｃａ  １８２、１−６、１９９１年（非特許文献２）；Ｗａｒｒｅｎ  Ｒ．、  Ｇａｒｔｓｔｅｉｎ  Ｖ．、Ｋｌｉｇｍａｎ  Ａ．Ｍ．、Ｍｏｎｔａｇａｎａ  Ｗ．外、Ｊ．Ａｍ．Ａｃａｄ．Ｄｅｒａｍａｔｏｌ．  ２５、７５１−６０、１９９１年（非特許文献３）参照）。
【特許文献１】ＵＳ４，６４５，９６９
【非特許文献１】Ｓｕｓｃｈｅｋ  Ｃ．Ｖ．外、ＦＡＳＥＢ  Ｊ  １７、２３４２−２３４４、２００３年
【非特許文献２】Ｂｅｒａｒｄｅｓｃａ  Ｅ．、Ｆａｒｉｎｅｌｌｉ  Ｎ．、Ｒｅｂｂｉｏｓｉ  Ｇ．、Ｍａｉｂａｃｈ  Ｈ．Ｉ．、Ｄｅｒｍａｔｏｌｏｇｉｃａ  １８２、１−６、１９９１年
【非特許文献３】Ｗａｒｒｅｎ  Ｒ．、  Ｇａｒｔｓｔｅｉｎ  Ｖ．、Ｋｌｉｇｍａｎ  Ａ．Ｍ．、Ｍｏｎｔａｇａｎａ  Ｗ．外、Ｊ．Ａｍ．Ａｃａｄ．Ｄｅｒａｍａｔｏｌ．  ２５、７５１−６０、１９９１年
【発明の開示】
【発明が解決しようとする課題】
【０００５】
本発明は、先行技術のランプより人の健康により好ましい効果を有する上述された種類のランプを目的とする。
【課題を解決するための手段】
【０００６】
本発明によれば、６００ｎｍ乃至７００ｎｍの赤色光スペクトルにおける当該ランプの放射線容量は、ＵＶスペクトルにおける放射線エネルギ容量の少なくとも３％である。このスペクトルにおける赤色光は、皮膚におけるコラーゲンの形成及び線維芽細胞の増殖を促す。赤色光の機能は、のちにコラーゲンへと変換されるＡＴＰ（プロトコラーゲン）の形成を促進することである（Ｗｅｉｓｓ  Ｒ．Ａ．、ＭｃＤａｎｉｅｌ  Ｄ．Ｈ．、Ｇｅｒｏｎｉｍｕｓ  Ｒ．Ｇ．、Ｓｅｍ．Ｃｕｔ．Ｍｅｄ．Ａｍ．Ｓｕｒｇ．、Ｖｏｌ．２２、Ｎｏ．２、２００３年、ｐｐ９３−１０６；Ｗｅｉｓｓ  Ｒ．Ａ．、ＭｃＤａｎｉｅｌ  Ｄ．Ｈ．、Ｇｅｒｏｎｅｍｕｓ  Ｒ．Ｇ．外、Ｌａｓｅｒｓ  ｉｎ  ｓｕｒｇｅｒｙ  ａｎｄ  ｍｅｄｉｃｉｎｅ参照）。
【０００７】
望ましくは、６００ｎｍ乃至７００ｎｍの赤色光スペクトルにおけるランプの放射線容量は、ＵＶスペクトルにおける放射線エネルギ容量の少なくとも６％である。また、望ましくは、６３０ｎｍ乃至７００ｎｍの赤色光スペクトルにおけるランプの放射線容量は、ＵＶスペクトルにおける放射線エネルギ容量の少なくとも３％であり、望ましくは少なくとも６％である。
【０００８】
第１の望ましい実施例では、ランプは、ＵＶ蛍光灯である。該ランプのベッセルは、第１のＵＶ放射蛍光体及び第２の赤色光放射蛍光体を有してコーティングされる。該赤色光放射蛍光体は、例えば、ＣｅＧｄＭｇＢ５Ｏ１０：Ｔｂ，Ｍｎ（“ＣＢＴＭ蛍光体”）である。この赤色光放射蛍光体は、ピークでは約６３０−６３５ｎｍである６００ｎｍ乃至７００ｎｍの放射線スペクトルを有し、例えば、前出の特許文献１中に記載されるランプにおいて使用され得る。ＭｇＧｅＯ６：Ｍｎが６３０ｎｍ乃至７００ｎｍの放射線スペクトルを有することが既知であるが、これは、略全体的なＵＶＡ及びＵＶＢを吸収するため、本願の適用には適切ではなく、したがって、皮膚の健康に望ましい効果を与えるよう十分な量では適用され得ない。効果的には、蛍光体混合物の６重量％乃至３０重量％、望ましくは１０重量％乃至２０重量％は、赤色光放射蛍光体を有し、上述された放射線エネルギのレベルが達成され得る。
【０００９】
第２の望ましい実施例では、当該ＵＶランプは、ＵＶ  ＨＩＤランプである。当該ランプのベッセルは、第１のＵＶ放射線塩（ＵＶ  ｒａｄｉａｔｉｎｇ  ｓａｌｔ）及び第２の赤色光放射線塩を有する。赤色光放射線塩は、ＬｉＩ及び／又はＣａＩ２である。赤色光放射線塩は、例えば、蛍光体コーティングを有さない高圧アイロン／コバルトメタルハライドランプである、Ｐｈｉｌｉｐｓ（登録商標）社のＣｌｅｏ  ＵＶ  ＨＰＡ  ４００Ｓの種類のランプに対して加えられ得、かかるランプは、公称電力４００Ｗを有し、主にＵＶＡスペクトルを放射する。公称電力１００Ｗ乃至８００Ｗを有するランプにおいて、ベッセルは、赤色光放射線塩を望ましくは０．０５乃至１ｍｇ、より望ましくは０．１０ｍｇ乃至０．５ｍｇ、更に望ましくは０．２ｍｇ乃至０．３ｍｇ有する。
【００１０】
１ｃｍ２の皮膚に対して約２０ＪであるＵＶ光の望ましい線量と比較すると、本発明のランプが使用される１回の日焼けセッション中における６３０ｎｍ乃至７００ｎｍの赤色光の望ましい線量は、少なくとも１ｃｍ２の皮膚に対して少なくとも２Ｊである。
【発明を実施するための最良の形態】
【００１１】
本発明は、典型的な実施例及び図面によって更に説明される。
【００１２】
図１によれば、皮膚を日焼けさせることを目的とする低圧水銀放電ランプは、両端において電極２０を有する管状のソーダ石灰ケイ酸塩ガラスベッセル１０を有する。電極は、端部キャップ４０から延在する２つのコネクタ３０と電気的に接続される。
【００１３】
ベッセル１０は、周知のアルゴン等である低圧不活性ガス充填剤及び少量の水銀を有して充填される。適用される蛍光体を除いて、この種類の低圧水銀放電ランプが技術的に周知であるため、ランプの更なる詳細は、ここでは記載されない。
【００１４】
ベッセル１０の内側表面は、少なくとも２つの蛍光体を有する蛍光体混合物５０を有してコーティングされる。第１の蛍光体は、ＵＶスペクトルにおいて放射する蛍光体であり、例えばＳｒＢ４Ｏ７：ＥＵ（“ＳＢＥ蛍光体”）又はＢａＳｉ２Ｏ５：Ｐｂ（”ＢＳＰ蛍光体”）である。第２の蛍光体は、ＣｅＧｄＭｇＢ５Ｏ１０：Ｔｂ，Ｍｎ（“ＣＢＴＭ蛍光体”）であり、ランプが点灯される際、６００ｎｍ乃至７００ｎｍのスペクトルにおいて赤色光を放射する。
【００１５】
図２によれば、皮膚を日焼けさせることを目的とする高圧メタルハライド放電ランプは、両端において電極１２０を有する管状の石英ベッセル１１０を有する。電極１２０は、両端においてピンチ１４０から延在するＭｏフォイルを用いて２つのコネクタ１３０と電気的に接続される。
【００１６】
ベッセル１１０は、周知のアルゴン等である低圧不活性ガス充填剤及び少量の水銀、並びにコバルト及びアイロンメタルハライド塩混合物を有して充填される。追加的な塩は除いて、この種類の高圧メタルハライド放電ランプが技術的に周知（Ｐｈｉｌｉｐｓ（登録商標）社のＣｌｅｏ  Ｓｕｎｔａｎｎｉｎｇ  Ｌａｍｐ  ＨＰＡ  ４００Ｓとして既知）であるため、ランプの更なる詳細は、ここでは説明されない。
【００１７】
ベッセル１１０は更に、赤色光放射線塩として約０．２５ｍｇのＬｉＩ及び／又はＣａＩ２を有する。ランプが点灯される際、かかる塩は、６００ｎｍ乃至７００ｎｍのスペクトルにおいて赤色光を放射する。
【図面の簡単な説明】
【００１８】
【図１】低圧水銀放電ＵＶランプを（部分的に断面で）図示する。
【図２】高圧メタルハライド放電ＵＶランプを図示する。
【図１】
2009506856.tif 000003
【図２】
2009506856.tif 000004
【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
皮膚の治療に対するＵＶランプであって、
当該ＵＶランプは、実質的に完全にＵＶスペクトル及び赤色光スペクトルにおいて放射線エネルギ容量を有し、
６００ｎｍ乃至７００ｎｍの前記赤色光スペクトルにおける当該ＵＶランプの前記放射線エネルギ容量は、前記ＵＶスペクトルにおける前記放射線エネルギ容量の少なくとも３％であり、
当該ＵＶランプは、ＵＶ蛍光灯であり、当該ＵＶランプの透明なベッセルが第１のＵＶ放射蛍光体と、第２の赤色光放射蛍光体とを有してコーティングされる、
ことを特徴とするＵＶランプ。
【請求項２】
前記赤色光放射蛍光体は、ＣｅＧｄＭｇＢ５Ｏ１０：Ｔｂ，Ｍｎである、
請求項１記載のＵＶランプ。
【請求項３】
蛍光体混合物の６重量％乃至３０重量％、望ましくは１０重量％乃至２０重量％は、前記赤色光放射蛍光体を有する、
請求項１又は２記載のＵＶランプ。
【請求項４】
皮膚の治療に対するＵＶランプであって、
当該ＵＶランプは、実質的に完全にＵＶスペクトル及び赤色光スペクトルにおいて放射線エネルギ容量を有し、
６００ｎｍ乃至７００ｎｍの前記赤色光スペクトルにおける当該ＵＶランプの前記放射線エネルギ容量は、前記ＵＶスペクトルにおける前記放射線エネルギ容量の少なくとも３％であり、
当該ＵＶランプは、ＵＶ  ＨＩＤランプであり、当該ＵＶランプの前記ベッセルは、第１のＵＶ放射線塩と第２の赤色光放射線塩とを有し、前記赤色光放射線塩は、ＬｉＩ及び／又はＣａＩ２である、
ことを特徴とするＵＶランプ。
【請求項５】
６００ｎｍ乃至７００ｎｍの前記赤色光スペクトルにおける当該ＵＶランプの前記放射線エネルギ容量は、前記ＵＶスペクトルにおける前記放射線エネルギ容量の少なくとも６％である、
請求項１乃至４のうちいずれか一項記載のＵＶランプ。
【請求項６】
６３０ｎｍ乃至７００ｎｍの前記赤色光スペクトルにおける当該ＵＶランプの前記放射線エネルギ容量は、前記ＵＶスペクトルにおける前記放射線エネルギ容量の少なくとも３％であり、望ましくは少なくとも６％である、
請求項１乃至５のうちいずれか一項記載のＵＶランプ。
【国際調査報告】
2009506856.tif 000005
2009506856.tif 000006
2009506856.tif 000007